(57)【特許請求の範囲】
【請求項１】
表示部と同一面にデッドスペースとなる非表示部が広がる表示装置が取付けられる操作パネルにおいて、ヒンジにより支持されスイッチを操作する操作つまみを前記非表示部と重なるように配置し、前記表示装置と前記スイッチをプリント基板に取り付けると共に前記操作つまみと非表示部との間にシールド板を配置したことを特徴とする操作パネルの構造。
【請求項２】
前記操作つまみとシールド板とが対向する部分の操作つまみまたはシールド板のいずれかに突起を設け、操作つまみを押して下降させたとき前記突起が対向する部材と当接することにより操作つまみの倒れを防止するように構成した請求項１の操作パネルの構造。
【発明の詳細な説明】
【０００１】
【発明の属する技術分野】
この発明は操作パネルに係わり、特に、デッドスペースとなる非表示部が広がる表示装置が取付けられる操作パネルの構造に関する。
【０００２】
【従来の技術】
図３に従来から用いられている表示装置の一種であるＦＬ表示管１の正面を示す。図に示すように、ＦＬ表示管１はその構造上表示部１ａの両側に非表示部１ｂ、１ｂが存在する。非表示部１ｂ、１ｂはＦＬ表示管１が図４および図５に示すように操作パネルに取付けられた状態で広いデッドスペースを形成する。
【０００３】
図４および図５において、ＦＬ表示管１とタクトスイッチ３はプリント基板２に取付けられている。操作つまみ７はパネル５の穴から突出するように図示していないヒンジを介して操作パネルに可動状態に取付けらており、下降したときに操作つまみ７の下面に設けられたボス７ａがタクトスイッチ３を作動させる。シールド板８はＦＬ表示管１のＦＬホルダ１ｃの外側に配置されている。
【０００４】
このように操作つまみ７をＦＬ表示管１の非表示部１ｂの外側に配置した場合には、図４に示すようにＦＬ表示管１の表示部１ａと操作つまみ７との間の距離Ｌが大きくなり、操作パネルをコンパクトに形成するための障害となっていた。
【０００５】
そこで、図６および図７に示すように、操作つまみ９をＦＬ表示管１の非表示部１ｂと重なるように配置することが試みられた。図６および図７において、ＦＬ表示管１とタクトスイッチ３はプリント基板２に取付けられている。
【０００６】
操作つまみ９はパネル５の穴から突出するように図示していないヒンジを介して操作パネルに可動状態に取付けらており、下降したときに操作つまみ９の下面に設けられたボス９ａがタクトスイッチ３を作動させる。シールド板８はＦＬ表示管１のＦＬホルダ１ｃの外側に配置されている。
【０００７】
このように操作つまみ９をＦＬ表示管１の非表示部１ｂと重なるように配置すると、図６に示すようにＦＬ表示管１の表示部１ａと操作つまみ９との間の距離Ｘを小さくすることができる。
【０００８】
しかしながら、図７に示すようにＦＬ表示管１から放射された光１０が操作パネル９から漏れてしまう。また、操作つまみ９から静電気１１がＦＬ表示管１に入るという問題があった。さらに、操作つまみ９の端に設けられたボス９ａがタクトスイッチ３を押すので操作つまみ９の左端の方を押すと操作つまみ９に掛かるモーメントにより操作つまみ９が倒れるという問題があった。
【０００９】
【発明が解決しようとする課題】
この発明は上記した点に鑑みてなされたものであって、その目的とするところは、表示部と同一面にデッドスペースとなる非表示部が広がる表示装置が取付けられる操作パネルであって、操作パネルをコンパクトに形成でき、しかも表示装置からの光が操作つまみから漏れることがなく、さらに、操作つまみから静電気が表示装置に入ることのない操作パネルの構造を提供することにある。
【００１０】
この発明の他の目的は、表示部と同一面にデッドスペースとなる非表示部が広がる表示装置が取付けられる操作パネルであって、操作パネルをコンパクトに形成でき、しかも操作つまみを操作するときに、操作つまみが倒れることのない操作パネルの構造を提供することにある。
【００１１】
【課題を解決するための手段】
この発明の操作パネルの構造は、表示部と同一面にデッドスペースとなる非表示部が広がる表示装置が取付けられる操作パネルにおいて、ヒンジにより支持されスイッチを操作する操作つまみを前記非表示部と重なるように配置し、前記表示装置と前記スイッチをプリント基板に取り付けると共に前記操作つまみと非表示部との間にシールド板を配置したものである。
【００１２】
また、前記操作パネルの構造において、前記操作つまみとシールド板とが対向する部分の操作つまみまたはシールド板のいずれかに突起を設け、操作つまみを押して下降させたとき前記突起が対向する部材と当接することにより操作つまみの倒れを防止するように構成したものである。
【００１３】
【発明の実施の形態】
この発明の実施例である操作パネルの構造を図面に基づいて説明する。図１はこの発明の実施例である操作パネルの部分を示す正面図、図２は同部分の一部断面を示す側面図である。
【００１４】
図１および図２において、ＦＬ表示管１とタクトスイッチ３はプリント基板２に取付けられている。操作つまみ４はパネル５の穴から突出するように図示していないヒンジを介して操作パネルに可動状態に取付けらており、下降したときに操作つまみ４の下面に設けられたボス４ａがタクトスイッチ３を作動させる。
【００１５】
操作つまみ４はＦＬ表示管１の非表示部１ｂと操作パネルの正面から見て一部重なる位置にあり、操作つまみ４とＦＬ表示管１の表示部１ａとの距離は小さく、操作パネルはコンパクトに構成される。
【００１６】
シールド板６は操作つまみ４とＦＬ表示管１の間にまで延びており、操作つまみ４に対してＦＬ表示管１の非表示部１ｂを覆っている。操作つまみ４のシールド板６と対向するＦＬ表示管１側の位置に突起４ｂが設けられている。このため、操作つまみ４をＦＬ表示管１側の偏った位置を押しても突起４ｂとシールド板６が当接して操作つまみ４が倒れることはない。
【００１７】
また、ＦＬ表示管１から放射された光はシールド板６に遮られ操作つまみ４から漏れることはない。さらに、シールド板６に遮られるため操作つまみ４から静電気がＦＬ表示管１に入ることもない。
【００１８】
実施例は以上のように構成されているが発明はこれに限られず、例えば、ＦＬ表示管の代わりに、ＬＣＤやＥＬ表示管を用いる操作パネルにこの発明を適用できる。
【００１９】
また、突起を操作つまみに設ける代わりにシールド板に設けてもよい。また、突起を設ける代わりに操作つまみとシールド板の間にクッショクを介在させてもよい。さらに、タクトスイッチの代わりれゴムスイッチを用いる操作パネルにもこの発明を適用できる。
【００２０】
【発明の効果】
この発明の操作パネルの構造によれば、表示装置と操作パネルを近接して配置することができるので、設計の自由度が増大し、さらに、操作パネルをコンパクトに構成することができる。
【００２１】
さらに、表示装置から放射された光はシールド板に遮られ操作つまみから漏れることがない。さらに、シールド板に遮られるため操作つまみから静電気が表示装置に入ることもない。
【００２２】
また、操作つまみとシールド板とが対向する部分の操作つまみまたはシールド板のいずれかに突起を設けたものは、操作つまみの端の部分を押しても操作つまみが倒れることはない。
【図面の簡単な説明】
【図１】この発明の実施例である操作パネルの部分を示す正面図である。
【図２】同部分の一部断面を示す側面図である。
【図３】表示装置の例を示す正面図である。
【図４】従来の操作パネルの例における部分を示す正面図である。
【図５】同部分の一部断面を示す側面図である。
【図６】従来の操作パネル他の例における部分を示す正面図である。
【図７】同部分の一部断面を示す側面図である。
【符号の説明】
１  ＦＬ表示管、１ａ  表示部、１ｂ  非表示部、１ｃ  ＦＬホルダ
２  プリント基板
３  タクトスイッチ
４  操作つまみ、４ａ  ボス、４ｂ  突起
５  パネル
６  シールド板
７  操作つまみ、７ａ  ボス
８  シールド板
９  操作つまみ、９ａ  ボス
１０  光
１１  静電気
【図１】
0003702303.tif 000002
【図２】
0003702303.tif 000003
【図３】
0003702303.tif 000004
【図４】
0003702303.tif 000005
【図５】
0003702303.tif 000006
【図６】
0003702303.tif 000007
【図７】
0003702303.tif 000008